(57)【特許請求の範囲】
【請求項１】
タッチパネルを備えた複数のディスプレイと、
前記タッチパネルへの所定の操作を感知する感知部と、
表示情報を生成する複数のアプリケーションを実行する実行部と、
前記実行部が実行しているアプリケーションが生成した表示情報を前記ディスプレイに表示し、前記感知部が前記所定の操作を感知すると、前記ディスプレイのうちの第１ディスプレイに表示されている表示情報である第１表示情報を、前記第１ディスプレイと異なる第２ディスプレイに表示するとともに、前記第１ディスプレイに前記第１表示情報とは異なる表示情報を第２表示情報として表示し、かつ、前記第１表示情報および前記第２表示情報を生成したアプリケーションのそれぞれを、当該アプリケーションに対する操作を許可するアクティブ状態にする制御部と、を有する携帯端末。
【請求項２】
請求項１に記載の携帯端末において、
前記感知部は、前記タッチパネルのそれぞれに対応し、当該タッチパネルへの所定の操作を感知する個別感知部を有し、
前記第１ディスプレイは、前記所定の操作が感知された個別感知部に対応するタッチパネルを備えたディスプレイである、携帯端末。
【請求項３】
請求項２に記載の携帯端末において、
前記実行部は、前記ディスプレイのそれぞれに対応し、別々にアプリケーションを実行する複数の個別実行部を有し、
前記制御部は、各ディスプレイに、当該ディスプレイに対応する個別実行部が実行しているアプリケーションが生成した表示情報のいずれかを表示し、前記感知部にて前記所定の操作が感知されると、前記第１ディスプレイには、当該第１ディスプレイに対応する個別実行部にて実行されているアプリケーションが生成した表示情報のうち、前記第１表示情報とは異なる表示情報を前記第２表示情報として表示する、携帯端末。
【請求項４】
請求項３に記載の携帯端末において、
前記制御部は、前記感知部にて前記所定の操作が感知されると、前記第２ディスプレイに対応する個別実行部が前記第１表示情報を生成したアプリケーションを実行していない場合、当該個別実行部に当該アプリケーションを実行させる、携帯端末。
【請求項５】
請求項３または４に記載の携帯端末において、
前記制御部は、前記感知部にて前記所定の操作が感知されると、前記第１ディスプレイに対応する個別実行部に、前記第１表示情報を生成したアプリケーションを停止させる、携帯端末。
【請求項６】
請求項１ないし５のいずれかに記載の携帯端末において、
前記所定の操作は、前記タッチパネルを予め定められた向きになぞる操作である、携帯端末。
【請求項７】
タッチパネルを備えた複数のディスプレイと、前記タッチパネルへの所定の操作を感知する感知部と、表示情報を生成する複数のアプリケーションを実行する実行部と、を有する携帯端末のアプリケーション制御方法であって、
前記実行部が実行しているアプリケーションが生成した表示情報を前記ディスプレイに表示し、
前記感知部が前記所定の操作を感知すると、前記ディスプレイのうちの第１ディスプレイに表示されている表示情報である第１表示情報を、前記第１ディスプレイと異なる第２ディスプレイに表示するとともに、前記第１ディスプレイに前記第１表示情報とは異なる表示情報を第２表示情報として表示し、かつ、前記第１表示情報および前記第２表示情報を生成したアプリケーションのそれぞれを、当該アプリケーションに対する操作を許可するアクティブ状態にする、アプリケーション制御方法。
【発明の詳細な説明】
【技術分野】
【０００１】
本発明は、複数のディスプレイを有する携帯端末およびそのアプリケーション制御方法に関する。
【背景技術】
【０００２】
従来、携帯電話などの携帯端末では、複数のアプリケーションを同時に実行することができなかったが、近年では、携帯端末の性能の向上に伴い、複数のアプリケーションを同時に実行させることが可能になっている。
【０００３】
しかしながら、携帯端末では、複数のアプリケーションを同時に実行している場合でも、ディスプレイが小さいために、通常、１つのディスプレイに１つのアプリケーションしか表示されない。このため、複数のアプリケーションを同時に確認しながら、複数のアプリケーションを平行して使用することができなかった。
【０００４】
これに対して、特許文献１には、複数のアプリケーションを同時に確認することが可能な移動通信端末機が記載されている。
【０００５】
特許文献１に記載の移動通信端末機は、第１表示部および第２表示部の２つの表示部を有する。複数のアプリケーションが実行されている場合、第１表示部には、実行中のアプリケーションのいずれかが表示され、第２表示部には、実行中のアプリケーションのそれぞれを示すアイコンが表示される。そして、アイコンが方向キーで選択されると、第２の表示部にその選択されたアイコンに対応するアプリケーションが表示される。
【０００６】
このとき、第１表示部および第２表示部に表示されているアプリケーションの一方が、そのアプリケーションに対する操作を許可するアクティブ状態となる。そして、所定のキーが押下されることで、アクティブ状態のアプリケーションが切り替えられる。
【０００７】
以上により、複数のアプリケーションを同時に確認しながら、複数のアプリケーションを平行して使用することが可能になる。
【先行技術文献】
【特許文献】
【０００８】
【特許文献１】特開２００６−８７１０８号公報
【発明の概要】
【発明が解決しようとする課題】
【０００９】
特許文献１に記載の移動通信端末機では、第１表示部および第２表示部に表示されているアプリケーションの一方しかアクティブ状態にすることができない。
【００１０】
このため、２つのアプリケーションを平行して使用する場合、アクティブ状態となるアプリケーションを、所定のキーを押下して切り替えながらアプリケーションを使用しなければならず、非常に利便性が低い。
【００１１】
例えば、ユーザが、動画再生用のアプリケーションとＷｅｂブラウザとを同時に実行し、動画像の通常再生や早送り再生など再生モードを切り替えながら、Ｗｅｂブラウザに書き込みを行う場合を考える。ユーザが、Ｗｅｂブラウザをアクティブ状態にしてＷｅｂブラウザに対して書き込みを行っている途中で、動画像の再生モードの切り替えタイミングになったとする。このとき、ユーザは、動画像の再生モードを切り替えるためには、所定のキーを押下して、動画再生用のアプリケーションをアクティブ状態にしてから、方向キーを用いて再生モードを切り替える必要がある。このため、実際に動画像の再生モードを切り替えるまでに時間がかかり、ユーザは、動画像の再生モードの切り替えタイミングを逃すことがある。
【００１２】
本発明の目的は、上記の課題である、複数のアプリケーションを平行して使用するための利便性が低いという問題を解決する携帯端末およびそのアプリケーション制御方法を提供することである。
【課題を解決するための手段】
【００１３】
本発明による携帯端末は、タッチパネルを備えた複数のディスプレイと、前記タッチパネルへの所定の操作を感知する感知部と、表示情報を生成する複数のアプリケーションを実行する実行部と、前記実行部が実行しているアプリケーションが生成した表示情報を前記ディスプレイに表示し、前記感知部が前記所定の操作を感知すると、前記ディスプレイのうちの第１ディスプレイに表示されている表示情報である第１表示情報を、前記第１ディスプレイと異なる第２ディスプレイに表示するとともに、前記第１ディスプレイに前記第１表示情報とは異なる表示情報を第２表示情報として表示し、かつ、前記第１表示情報および前記第２表示情報を生成したアプリケーションのそれぞれを、当該アプリケーションに対する操作を許可するアクティブ状態にする制御部と、を有する。
【００１４】
また、本発明によるアプリケーション制御方法は、タッチパネルを備えた複数のディスプレイと、前記タッチパネルへの所定の操作を感知する感知部と、表示情報を生成する複数のアプリケーションを実行する実行部と、を有する携帯端末のアプリケーション制御方法であって、前記実行部が実行しているアプリケーションが生成した表示情報を前記ディスプレイに表示し、前記感知部が前記所定の操作を感知すると、前記ディスプレイのうちの第１ディスプレイに表示されている表示情報である第１表示情報を、前記第１ディスプレイと異なる第２ディスプレイに表示するとともに、前記第１ディスプレイに前記第１表示情報とは異なる表示情報を第２表示情報として表示し、かつ、前記第１表示情報および前記第２表示情報を生成したアプリケーションのそれぞれを、当該アプリケーションに対する操作を許可するアクティブ状態にする。
【発明の効果】
【００１５】
本発明によれば、複数のアプリケーションを平行して使用するための利便性を向上させることが可能になる。
【図面の簡単な説明】
【００１６】
【図１】本発明の第１の実施形態の携帯端末の構成を示したブロック図である。
【図２Ａ】本発明の第２の実施形態の携帯端末の外観の一例を示した外観図である。
【図２Ｂ】本発明の第２の実施形態の携帯端末の外観の他の例を示した外観図である。
【図３】本発明の第２の実施形態の携帯端末の構成を示したブロック図である。
【図４】プロファイルテーブルの一例を示した図である。
【図５】携帯端末の動作の一例を説明するためのフローチャートである。
【図６】プロファイル管理部２０３Ａの構成の一例を示したブロック図である。
【図７】プロファイル管理部２０３Ａの動作の一例を説明するためのフローチャートである。
【図８】プロファイル管理部２０３Ｂの構成の一例を示したブロック図である。
【図９】プロファイル管理部２０３Ｂの動作の一例を説明するためのフローチャートである。
【図１０】センサ感知部の構成の一例を示したブロック図である。
【図１１】センサ感知部の動作の一例を説明するためのフローチャートである。
【発明を実施するための形態】
【００１７】
以下、本発明の実施形態について図面を参照して説明する。
【００１８】
図１は、本発明の第１の実施形態の携帯端末の構成を示したブロック図である。図１において、携帯端末は、ディスプレイ１‐１〜１‐Ｎと、感知部２と、実行部３と、制御部４とを有する。なお、Ｎは、２以上の整数である。したがって、ディスプレイは、複数あることになる。また、携帯端末は、例えば、携帯電話端末やＰＤＡ（Personal Digital Assistant）などである。
【００１９】
ディスプレイ１‐１〜１‐Ｎのそれぞれは、タッチパネル５を備える。
【００２０】
感知部２は、ディスプレイ１‐１〜１‐Ｎのそれぞれのタッチパネル５への所定の操作を感知する。
【００２１】
実行部３は、複数のアプリケーションを実行する。各アプリケーションは、ディスプレイに表示するための表示情報を生成する。なお、アプリケーションは、例えば、動画再生用のアプリケーションやＷＷＷ（World Wide Web）情報の閲覧用のアプリケーション（ブラウザ）などである。また、表示情報は、動画像、ＷＷＷ情報、動画像の再生モードをタッチパネルを用いて切り替えるための操作パネルや、文字をタッチパネルを用いて入力するための文字入力キーなどである。
【００２２】
制御部４は、実行部３が実行しているアプリケーションが生成した表示情報をディスプレイ１‐１〜１‐Ｎに表示する。このとき、制御部４は、アプリケーションのそれぞれが生成した表示情報の少なくとも一つを、ディスプレイ１‐１〜１‐Ｎの少なくとも一つに表示すればよい。なお、ディスプレイ１‐１〜１‐Ｎのそれぞれには、表示情報が一つだけ表示されるものとする。
【００２３】
感知部２が所定の操作を感知すると、制御部４は、ディスプレイ１‐１〜１‐Ｎのうちの第１ディスプレイに表示されている表示情報である第１表示情報を、第１ディスプレイと異なる第２ディスプレイに表示するとともに、第１ディスプレイには第１表示情報と異なる表示情報を第２表示情報として表示する。
【００２４】
第１ディスプレイは、例えば、予め定められたディスプレイでもよいし、所定の操作が行われたタッチパネル５を有するディスプレイでもよい。また、第１ディスプレイは、所定の操作の内容に応じて選択されてもよい。また、第２ディスプレイは、第１ディスプレイに応じて定められていてもよいし、第１ディスプレイを除く全てのディスプレイでもよい。
【００２５】
制御部４は、第１表示情報および第２表示情報を表示すると、その第１表示情報および第２表示情報を生成したアプリケーションのそれぞれをアクティブ状態にする。アクティブ状態とは、アプリケーションに対する操作を許可する状態のことである。
【００２６】
このとき、制御部４は、各ディスプレイに表示されている表示情報を生成した複数のアプリケーションを一括して操作することが可能なコントローラを、複数のディスプレイに跨って表示してもよい。
【００２７】
次に本実施形態の携帯端末の動作の一例を説明する。
【００２８】
先ず、制御部４は、実行部３が実行しているアプリケーションが生成した表示情報をディスプレイ１‐１〜１‐Ｎに表示する。
【００２９】
例えば、先ず、実行部３が最初にアプリケーションを起動した場合、制御部４は、そのアプリケーションが生成した表示情報をディスプレイ１‐１に表示する。その後、実行部３がアプリケーションを起動するたびに、制御部４は、ディスプレイ１‐１に表示されている表示情報をディスプレイ１‐１から消去し、その生成したアプリケーションが生成した表示情報をディスプレイ１−１に表示する。このとき、制御部４は、表示情報が表示されていないディスプレイに対しては、そのディスプレイを照明するバックライトなどの照明装置（図示せず）を消灯して省電力化を図ってもよい。
【００３０】
その後、感知部２が所定の操作を感知すると、制御部４は、実行部３で実行されているアプリケーションから、ディスプレイ１‐１に表示されている表示情報を生成したアプリケーションと異なるアプリケーションを選択する。例えば、制御部４は、ディスプレイ１‐１に表示されている表示情報を生成したアプリケーションの一つ前に起動されたアプリケーションを選択する。
【００３１】
続いて、制御部４は、ディスプレイ１‐１に表示されている表示情報である第１表示情報をディスプレイ１‐２〜１〜Ｎに表示するとともに、ディスプレイ１‐１に、その選択したアプリケーションが生成した表示情報を第２表示情報として表示する。
【００３２】
そして、制御部４は、第１表示情報および第２表示情報を生成した二つのアプリケーションをアクティブ状態にする。
【００３３】
本実施形態によれば、制御部４は、実行部３が実行しているアプリケーションが生成した表示情報をディスプレイ１‐１〜１‐Ｎに表示する。感知部２が所定の操作を感知すると、制御部４は、ディスプレイ１‐１〜１‐Ｎのうちの第１ディスプレイに表示されている表示情報である第１表示情報を、第１ディスプレイと異なる第２ディスプレイに表示するとともに、第１ディスプレイには第１表示情報と異なる表示情報を第２表示情報として表示する。制御部４は、第１表示情報および第２表示情報を表示すると、その第１表示情報および第２表示情報を生成したアプリケーションのそれぞれをアクティブ状態にする。
【００３４】
この場合、所定の操作が感知されると、第１表示情報および第２表示情報が表示され、その第１表示情報および第２表示情報を生成したアプリケーションのそれぞれがアクティブ状態になる。
【００３５】
このため、所定のキーを押下してアクティブ状態のアプリケーションを切り替えなくても、複数のアプリケーションを平行して使用することが可能になる。よって、複数のアプリケーションを平行して使用するための利便性を向上させることが可能になる。
【００３６】
次に本発明の第２の実施形態について説明する。
【００３７】
図２Ａは、本実施形態の携帯端末の外観を示した外観図である。図２Ａにおいて、携帯端末は、筐体１０Ａおよび１０Ｂを有する。
【００３８】
筐体１０Ａおよび１０Ｂは、ヒンジ機構にて回転可能に接続されている。なお、筐体１０Ａおよび１０Ｂの接続機構は、ヒンジ機構に限らず、適宜変更可能である。例えば、筐体１０Ａおよび１０Ｂは、回転２軸機構（２軸ヒンジ機構）にて回転可能に接続されていてもよいし、スライド機構にてスライド可能に接続されていてもよい。
【００３９】
筐体１０Ａおよび１０Ｂのそれぞれには、タッチパネルを備えたディスプレイ１００Ａおよび１００Ｂを有する。
【００４０】
なお、携帯端末は、図２で示したように筐体１０Ａおよび１０Ｂを左右に並べて使用する形態でもよいし、図２Ｂで示したように筐体１０Ａおよび１０Ｂを上下に並べて使用する形態でもよい。
【００４１】
図３は、本実施形態の携帯端末の構成を示したブロック図である。図３において、携帯端末は、タッチパネル１０１Ａを備えたディスプレイ１００Ａと、タッチパネル１０１Ｂを備えたディスプレイ１００Ｂと、処理部２００Ａおよび２００Ｂとを有する。
【００４２】
ディスプレイ１００Ａおよび処理部２００Ａは、筐体１０Ａに設けられ、ディスプレイ１００Ｂおよび処理部２００Ｂは、筐体１０Ｂに設けられる。
【００４３】
ディスプレイ１００Ａおよび１００Ｂは、本実施形態では、ＬＣＤ（Liquid Crystal Display：液晶ディスプレイ）とする。しかしながら、ディスプレイ１００Ａおよび１００Ｂは、ＬＣＤに限らず適宜変更可能である。
【００４４】
処理部２００Ａおよび２００Ｂは、別々にアプリケーションを実行する。処理部２００Ａは、自己が実行したアプリケーションのいずれかをアクティブ状態にし、そのアクティブ状態のアプリケーションが生成した表示情報をディスプレイ１００Ａに表示する。また、処理部２００Ｂは、自己が実行したアプリケーションのいずれかをアクティブ状態にし、そのアクティブ状態のアプリケーションが生成した表示情報をディスプレイ１００Ｂに表示する。
【００４５】
処理部２００Ａは、センサ感知部２０１Ａと、アプリケーション制御部２０２Ａと、プロファイル管理部２０３Ａと、ＬＣＤ制御部２０４Ａと、タスク処理部２０５Ａと、端末データ処理部２０６Ａとを有する。また、処理部２００Ｂは、アプリケーション制御部２０２Ｂと、センサ感知部２０１Ｂと、プロファイル管理部２０３Ｂと、ＬＣＤ制御部２０４Ｂと、タスク処理部２０５Ｂと、端末データ処理部２０６Ｂとを有する。
【００４６】
センサ感知部２０１Ａおよびセンサ感知部２０１Ｂは、図１で示した感知部２に含まれる。また、センサ感知部２０１Ａおよび２０１Ｂのそれぞれは、個別感知部と呼ばれることもある。
【００４７】
センサ感知部２０１Ａは、タッチパネル１０１Ａに対応し、センサ感知部２０１Ｂは、タッチパネル１０１Ｂに対応する。センサ感知部２０１および２０１は、自己に対応するタッチパネルへの所定の操作を感知する。
【００４８】
以下、所定の操作は、予め定められた方向へのフリック操作であるとする。フリック操作とは、タッチパネルをなぞる操作である。なお、所定の操作は、予め定められた方向へのフリック操作に限らず適宜変更可能である。また、所定の操作はセンサ感知部ごとに異なっていてもよい。例えば、タッチパネル１０１Ａからタッチパネル１０１Ｂへの向きを正のＹ方向としたとき、所定の操作は、センサ感知部２０１Ａでは、Ｙ方向の正の向きへのフリック操作であり、センサ感知部２０１Ｂでは、Ｙ方向の負の向きへのフリック操作であってもよい。
【００４９】
アプリケーション制御部２０２Ａおよび２０２Ｂは、図１で示した実行部３に含まれる。また、アプリケーション制御部２０２Ａおよび２０２Ｂのそれぞれは、個別実行部と呼ばれることもある。
【００５０】
アプリケーション制御部２０２Ａは、ディスプレイ１００Ａに対応し、アプリケーション制御部２０２Ｂは、ディスプレイ１００Ｂに対応する。アプリケーション制御部２０２Ａおよび２０２Ｂは、別々にアプリケーションを実行することができる。
【００５１】
プロファイル管理部２０３Ａおよび２０２Ｂと、ＬＣＤ制御部２０４Ａおよび２０４Ｂと、タスク処理部２０５Ａおよび２０５Ｂと、端末データ処理部２０６Ａおよび２０６Ｂとは、図１で示した制御部４に含まれる。
【００５２】
本実施形態では、制御部４は、ディスプレイ１００Ａおよび１００Ｂのそれぞれに、そのディスプレイと対応するアプリケーション制御部が生成した表示情報のいずれかを表示する。
【００５３】
センサ感知部２０１Ａまたは２０１Ｂが所定の操作を感知すると、制御部４は、第１ディスプレイに対応するアプリケーション制御部２０２Ａまたは２０２Ｂにて実行されているアプリケーションが生成した表示情報のうち、第１ディスプレイに表示されている表示情報である第１表示情報とは異なる表示情報を第２表示情報として表示する。そして、制御部４は、第１表示情報を第２ディスプレイに表示する。
【００５４】
なお、本実施形態では、所定の操作を感知したセンサ感知部に対応するタッチパネルを備えた対応するディスプレイが第１ディスプレイとなる。また、第１ディスプレイと異なるディスプレイが第２ディスプレイとなる。
【００５５】
このとき、制御部４は、第２ディスプレイに対応するアプリケーション制御部２０２Ａまたは２０２Ｂが第１表示情報を生成するアプリケーションを実行していない場合、そのアプリケーション制御部にそのアプリケーションを実行させる。また、制御部４は、第１ディスプレイに対応するアプリケーション制御部２０２Ａまたは２０２Ｂに、第１表示情報を生成するアプリケーションを停止させる。
【００５６】
制御部４は、第１表示情報および第２表示情報を生成したアプリケーションのそれぞれを、アプリケーション制御部２０２Ａまたは２０２Ｂを用いてアクティブ状態にする。
【００５７】
次に制御部４のより詳細な説明を行う。以下では、説明の煩雑化を防ぐために、主に、センサ感知部２０１Ａが所定の操作を感知したときに、制御部４が行う処理について説明する。
【００５８】
プロファイル管理部２０３Ａは、アプリケーション制御部２０２Ａにて実行中のアプリケーションを管理するためのプロファイルテーブルを記憶する。プロファイルテーブルは、少なくとも、実行中のアプリケーションと、アクティブ状態のアプリケーションとを示す。
【００５９】
図４は、プロファイルテーブルの一例を示した図である。図４において、プロファイルテーブル４００Ａは、アプリケーションプロファイル４０１Ａ、起動プロファイル４０２Ａ、および、表示プロファイル４０３Ａを有するプロファイル情報を、実行中のアプリケーションごとに有する。
【００６０】
アプリケーションプロファイル４０１Ａは、実行中のアプリケーションを示す情報である。起動プロファイル４０２Ａは、アプリケーションを起動させるための情報である。表示プロファイル４０３Ａは、アプリケーションを表示させるための情報である。
【００６１】
また、プロファイルテーブル４００Ａでは、各アプリケーションに優先順位が付けられ、その優先順位の最も高いアプリケーションがアクティブ状態であることを示す。より具体的には、プロファイルテーブル４００Ａでは、各プロファイル情報が優先順位の高い方から順に並べられ、先頭のプロファイル情報に対応するアプリケーションが最も優先順位が高い。つまり、先頭のプロファイル情報に対応するアプリケーションがアクティブ状態となる。
【００６２】
図３に戻る。センサ感知部２０１Ａにて所定の操作が感知されると、プロファイル管理部２０３Ａは、自己に記憶されているプロファイルテーブルを参照して、次にアクティブ状態にするアプリケーションとを特定する。なお、次にアクティブ状態にするアプリケーションは、優先順位が２番目に高いアプリケーションである。
【００６３】
プロファイル管理部２０３Ａは、現在アクティブ状態のアプリケーションを、アプリケーション制御部２０２Ａに停止させ、その後、その特定した次にアクティブ状態にするアプリケーションを、アプリケーション制御部２０２Ａを用いてアクティブ状態にする。
【００６４】
ＬＣＤ制御部２０４Ａは、アクティブ状態のアプリケーションが生成した表示情報をディスプレイ１００Ａに表示する。例えば、ＬＣＤ制御部２０４Ａは、アプリケーション制御部２０２Ａにて停止されたアプリケーションが生成していた表示情報をディスプレイ１００Ａから消去するとともに、アプリケーション制御部２０２Ａにてアクティブ状態にされたアプリケーションが生成した表示情報をディスプレイ１００Ａに表示する。
【００６５】
タスク処理部２０５Ａは、アプリケーション制御部２０２にて停止されたアプリケーションを起動する旨の起動命令を、処理部２００Ｂのタスク処理部２０５Ｂに送出する。
【００６６】
端末データ処理部２０６Ａは、センサ感知部２０１Ａ、アプリケーション制御部２０２Ａ、プロファイル管理部２０３Ａ、ＬＣＤ制御部２０４Ａおよびタスク処理部２０５Ａ間の情報伝達を行い、処理部２００Ａ全体を制御する。
【００６７】
タスク処理部２０５Ｂは、処理部２００Ａのタスク処理部２０５Ａから起動命令を受け取る。
【００６８】
プロファイル管理部２０３Ｂは、アプリケーション制御部２０２Ｂにて実行中のアプリケーションを管理するためのプロファイルテーブルを記憶する。このプロファイルテーブルの構成は、図４で示した、プロファイル管理部２０３のプロファイルテーブルと同様である。
【００６９】
タスク処理部２０５Ｂが起動命令を受け取ると、プロファイル管理部２０３Ｂは、自己に記憶しているプロファイルテーブルを参照して、筐体１０Ｂにおいてアクティブ状態のアプリケーションを特定する。
【００７０】
プロファイル管理部２０３Ｂは、その特定されたアクティブ状態のアプリケーションをアプリケーション制御部２０２Ｂを用いて非アクティブ状態にする。なお、非アクティブ状態は、アプリケーションに対する操作を許可しない状態である。
【００７１】
その後、プロファイル管理部２０３Ｂは、タスク処理部２０５Ｂが受け取った起動命令にて起動が命令されたアプリケーションをアプリケーション制御部２０２Ｂに起動させて、さらに、アプリケーション制御部２０２Ｂを用いて、その起動したアプリケーションをアクティブ状態にする。
【００７２】
なお、起動命令にて起動が命令されたアプリケーションが既に起動されている場合、プロファイル管理部２０３Ｂは、そのアプリケーションの起動を行わず、そのアプリケーションをアクティブ状態にするだけでよい。また、起動命令にて起動が命令されたアプリケーションと、アクティブ状態のアプリケーションとが同じ場合、プロファイル管理部２０３Ｂは、特に処理を行わなくてよい。
【００７３】
ＬＣＤ制御部２０４Ｂは、筐体１０Ｂにおいてアクティブ状態のアプリケーションが生成した表示情報をディスプレイ１００Ｂに表示する。例えば、ＬＣＤ制御部２０４Ｂは、アプリケーション制御部２０２Ｂにて停止されたアプリケーションが生成していた表示情報をディスプレイ１００Ｂから消去するとともに、アプリケーション制御部２０２Ｂにてアクティブ状態にされたアプリケーションが生成した表示情報をディスプレイ１００Ｂに表示する。
【００７４】
端末データ処理部２０６Ｂは、センサ感知部２０１Ｂ、アプリケーション制御部２０２Ｂ、プロファイル管理部２０３Ｂ、ＬＣＤ制御部２０４Ｂおよびタスク処理部２０５Ｂ間の情報伝達を行い、処理部２００Ｂ全体を制御する。
【００７５】
次に動作を説明する。
【００７６】
図５は、本実施形態の携帯端末の動作の一例を説明するためのフローチャートである。なお、図５では、筐体１０ＡにおいてアプリケーションＡがアクティブ状態であるとする。また、ユーザの動作をＵで表し、携帯端末の動作をＫおよびＫ’で表している。
【００７７】
先ず、ユーザは、携帯端末のディスプレイ１００Ａに備わったタッチパネル１０１Ａに対して、Ｙ方向の正の向き、つまり、筐体１０Ａから１０Ｂの向きへのフリック操作を行う（ステップＵ００）。
【００７８】
タッチパネル１０１Ａは、ユーザからの接触位置を座標で示した座標信号をセンサ感知部２０１Ａに送出する。センサ感知部２０１Ａは、座標信号を受け取ると、その座標信号に基づいて、タッチパネルに対して行われた操作が所定の操作か否かを判断する（ステップＫ０１）。
【００７９】
その操作が所定の操作でない場合、センサ感知部２０１Ａは、何もせずに処理を終了する（ステップＫ０２）。
【００８０】
一方、その操作が所定の操作である場合、アプリケーションＡを起動する旨の起動命令を端末データ処理部２０６Ａに送出する。端末データ処理部２０６Ａは、起動命令を受け取ると、その起動命令をタスク処理部２０５Ａに送出し（ステップＫ０３）、かつ、アプリケーションＡを停止する旨の停止命令をアプリケーション制御部２０２Ａに送出する（ステップＫ’０１）。
【００８１】
ステップＫ０３以降の動作は、筐体１０Ｂにおいて、アプリケーションＡをアクティブ状態にする動作であり、ステップＫ’０１以降の動作は、筐体１０Ａにおいて、アプリケーションＡの次に優先順位の高いアプリケーションＢをアクティブ状態にする動作となる。
【００８２】
先ず、筐体１０ＢにおいてアプリケーションＡをアクティブ状態にするステップＫ０３以降の動作について説明する。
【００８３】
タスク処理部２０５Ａは、起動命令を受け取ると、その起動命令を筐体１０Ｂにあるタスク処理部２０５Ｂに送出する（ステップＫ０４）。タスク処理部２０５Ｂは、起動命令を受け取ると、その起動命令を端末データ処理部２０６Ｂに送出する（ステップＫ０５）。端末データ処理部２０６Ｂは、起動命令を受け取ると、その起動命令をアプリケーション制御部２０２Ｂ経由でプロファイル管理部２０３Ｂに送出する（ステップＫ０６）。
【００８４】
プロファイル管理部２０３Ｂは、起動命令を受け取ると、自己に記憶されているプロファイルデータを参照して、その起動命令にて起動が命令されているアプリケーションＡが実行中かつアクティブ状態であるか否かを判断する（ステップＫ０７）。
【００８５】
アプリケーションＡが実行中かつアクティブ状態である場合、プロファイル管理部２０３Ｂは、何もせずに処理を終了する（ステップＫ０８）。
【００８６】
一方、アプリケーションＡが実行中かつアクティブ状態でない場合、プロファイル管理部２０３Ｂは、アプリケーションＡが実行中であるがアクティブ状態でないと、アプリケーションＡをアクティブ状態にする旨のアクティブ命令をアプリケーション制御部２０２Ｂに送出し、アプリケーションが実行中でないと、アプリケーションＡの起動命令をアプリケーション制御部２０２Ｂに送出する。アプリケーション制御部２０２Ｂは、アクティブ命令を受け取った場合、アプリケーションＡをアクティブ状態にし、起動命令を受け取った場合、アプリケーションＡを起動し、その後、アプリケーションＡをアクティブ状態にする（ステップＫ９）。
【００８７】
アプリケーション制御部２０２Ｂは、アプリケーションＡの表示情報を表示する旨の表示命令を端末データ処理部２０６Ｂ経由でＬＣＤ制御部２０４Ｂに送出する（ステップＫ１０）。ＬＣＤ制御部２０４Ｂは、表示命令を受け取ると、その表示命令で表示が命令されている、アプリケーションＡの表示情報をディスプレイ１００Ｂに表示する（ステップＫ１１）。これにより、筐体１０ＢにおいてアプリケーションＡをアクティブ状態にする動作が終了する。
【００８８】
続いて、筐体１０ＡにおいてアプリケーションＢをアクティブ状態にするステップＫ’０１以降の動作について説明する。
【００８９】
アプリケーション制御部２０２Ａは、ステップＫ’０１において送出された停止命令を受け取ると、その停止命令をプロファイル管理部２０３Ａに送出する。プロファイル管理部２０３Ａは、停止命令を受け取ると、自己に記憶されているプロファイルテーブルを参照して、アプリケーションＡの次に優先順位の高いアプリケーションであるアプリケーションＢを特定する（ステップＫ’０２）。
【００９０】
続いて、プロファイル管理部２０３Ａは、その特定したアプリケーションＢのアクティブ命令と、アプリケーションＡの停止命令とをアプリケーション制御部２０２Ａに送出する。アプリケーション制御部２０２Ａは、アクティブ命令および停止命令を受け取ると、その停止命令にて停止が命令されたアプリケーションＡを停止するともに、そのアクティブ命令にてアクティブ状態にすることが命令されたアプリケーションＢのアクティブ状態にする（ステップＫ’０３）。
【００９１】
そして、アプリケーション制御部２０２は、アプリケーションＢの表示情報を表示する旨の表示命令を端末データ処理部２０６Ａ経由でＬＣＤ制御部２０４Ａに送出する（ステップＫ’０４）。
【００９２】
ＬＣＤ制御部２０４は、表示命令を受け取ると、その表示命令にて表示が命令されている、アプリケーションＢの表示情報をディスプレイ１００Ａに表示する。これにより、筐体１０ＡにおいてアプリケーションＢをアクティブ状態にする動作が終了する。
【００９３】
次に、プロファイル管理部２０３Ａについてより詳細に説明する。
【００９４】
図６は、プロファイル管理部２０３Ａの構成の一例を示したブロック図である。図６において、プロファイル管理部２０３Ａは、プロファイルテーブル記憶部６０１Ａと、プロファイル判定部６０２Ａと、プロファイル管理データ処理部６０３Ａとを有する。
【００９５】
プロファイルテーブル記憶部６０１Ａは、筐体１０Ａにおいて実行中のアプリケーションを管理するためのプロファイルテーブルを記憶する。
【００９６】
センサ感知部２０１Ａにて所定の操作が感知されると、プロファイル判定部６０２Ａは、プロファイルテーブル記憶部６０１Ａに記憶されたプロファイルテーブルを参照して、次にアクティブ状態にするアプリケーションを特定する。
【００９７】
プロファイル管理データ処理部６０３Ａは、アプリケーション制御部２０２Ａとの間で種々の情報のやり取りを行う。
【００９８】
図７は、プロファイル管理部２０３Ａの動作の一例を説明するためのフローチャートである。より具体的には、図７は、図５のステップＫ’０２において、アプリケーション制御部２０２ＡがアプリケーションＡの停止命令をプロファイル管理部２０３Ａに送出した際のプロファイル管理部２０３Ａの動作を主に説明するためのフローチャートである。なお、図７では、アプリケーション制御部２０２Ａの動作をＡで表わし、プロファイル管理部２０３Ａの動作をＰで表す。
【００９９】
先ず、アプリケーション制御部２０２Ａは、アプリケーションＡの停止命令をプロファイル管理データ処理部６０３Ａに送出する（ステップＡ００）。
【０１００】
プロファイル管理データ処理部６０３Ａは、停止命令を受け取ると、その停止命令をプロファイル判定部６０２Ａに送出する（ステップＰ０１）。
【０１０１】
プロファイル判定部６０２Ａは、停止命令を受け取ると、その停止命令にて停止が命令されているアプリケーションＡを示すアプリケーションプロファイルを、プロファイルテーブル記憶部６０１Ａに記憶されているプロファイルテーブルから検索する（ステップＰ０２）。
【０１０２】
プロファイル判定部６０２Ａは、その検索結果に基づいて、アプリケーションＡを示すアプリケーションプロファイルがプロファイルテーブルに存在するか否かを判断する（ステップＰ０３）。
【０１０３】
そのアプリケーションプロファイルがプロファイルテーブルに存在しない場合、プロファイル判定部６０２Ａは、何もせずに処理を終了する（ステップＰ０４）。この場合、エラーとなり、アクティブ状態のアプリケーションは変更されない。
【０１０４】
一方、そのアプリケーションプロファイルがプロファイルテーブルに存在する場合、プロファイル判定部６０２Ａは、アプリケーションＡのプロファイル情報をプロファイルテーブルから消去する。続いて、プロファイル判定部６０２Ａは、その消去したプロファイル情報の次にあるアプリケーションＢのプロファイル情報をプロファイルテーブル記憶部６０１Ａから取得する（ステップＰ０５）。
【０１０５】
プロファイル判定部６０２Ａは、アプリケーションＢのアクティブ命令を生成し、そのアプリケーションＢのアクティブ命令と、アプリケーションＡの停止命令とをプロファイル管理データ処理部６０３Ａに送出する（ステップＰ０６）。
【０１０６】
プロファイル管理データ処理部６０３Ａは、アプリケーションＢのアクティブ命令およびアプリケーションＡの停止命令を受け取ると、そのアプリケーションＢのアクティブ命令およびアプリケーションＡの停止命令をアプリケーション制御部２０２Ａに送出する（ステップＰ０７）。
【０１０７】
次に、プロファイル管理部２０３Ｂについてより詳細に説明する。
【０１０８】
図８は、プロファイル管理部２０３Ｂの構成の一例を示したブロック図である。図７において、プロファイル管理部２０３Ｂは、プロファイルテーブル記憶部６０１Ｂと、プロファイル判定部６０２Ｂと、プロファイル管理データ処理部６０３Ｂとを有する。
【０１０９】
プロファイルテーブル記憶部６０１Ｂは、筐体１０Ｂにおいて実行中のアプリケーションを管理するためのプロファイルテーブルを記憶する。
【０１１０】
タスク処理部ＢがアプリケーションＡの起動命令を受け取ると、プロファイル判定部６０２Ｂは、プロファイルテーブル記憶部６０１Ｂに記憶されたプロファイルテーブルを参照して、アプリケーションＡが実行中かつアクティブ状態か否かを判断する。
【０１１１】
アプリケーションＡが実行中かつアクティブ状態でない場合、プロファイル判定部６０２Ｂは、アプリケーションＡのプロファイル情報を、プロファイルテーブル記憶部６０１Ｂに記憶されたプロファイルテーブルの先頭に挿入する。
【０１１２】
プロファイル管理データ処理部６０３Ｂは、アプリケーション制御部２０２Ｂとの間で種々の情報のやり取りを行う。
【０１１３】
図９は、プロファイル管理部２０３Ｂの動作の一例を説明するためのフローチャートである。より具体的には、図９は、図５のステップＫ０６において、アプリケーション制御部２０２ＢがアプリケーションＡの起動命令をプロファイル管理部２０３Ｂに送出した際のプロファイル管理部２０３Ｂの動作を主に説明するためのフローチャートである。なお、図９では、アプリケーション制御部２０２Ｂの動作をＡ’で表わし、プロファイル管理部２０３Ｂの動作をＰ’で表す。
【０１１４】
先ず、アプリケーション制御部２０２Ｂは、アプリケーションＡの起動命令をプロファイル管理データ処理部６０３Ｂに送出する（ステップＡ’００）。
【０１１５】
プロファイル管理データ処理部６０３Ｂは、起動命令を受け取ると、その起動命令をプロファイル判定部６０２Ｂに送出する（ステップＰ’０１）。
【０１１６】
プロファイル判定部６０２Ｂは、起動命令を受け取ると、その起動命令にて起動が命令されているアプリケーションＡを示すアプリケーションプロファイルを、プロファイルテーブル記憶部６０１Ｂに記憶されているプロファイルテーブルから検索する（ステップＰ’０２）。
【０１１７】
プロファイル判定部６０２Ｂは、その検索結果に基づいて、アプリケーションＡを示すアプリケーションプロファイルがプロファイルテーブルの先頭に存在するか否かを判断する（ステップＰ’０３）。
【０１１８】
そのアプリケーションプロファイルがプロファイルテーブルの先頭に存在する場合、プロファイル判定部６０２Ａは、何もせずに処理を終了する（ステップＰ’０４）。
【０１１９】
一方、そのアプリケーションプロファイルがプロファイルテーブルの先頭に存在しない場合、プロファイル判定部６０２Ｂは、アプリケーションＡのプロファイル情報をプロファイルテーブルの先頭に追加する。
【０１２０】
このとき、プロファイルテーブル内にアプリケーションＡのプロファイル情報が既に存在する場合、プロファイル判定部６０２Ｂは、そのプロファイル情報をプロファイルテーブルの先頭に移動させる。また、プロファイルテーブル内にアプリケーションＡのプロファイル情報が存在しない場合、プロファイル判定部６０２Ｂは、そのプロファイル情報を生成してプロファイルテーブルの先頭に追加する（ステップＰ’０５）。
【０１２１】
プロファイル判定部６０２Ｂは、アプリケーションＡのプロファイル情報に基づいて、アプリケーションＡのアクティブ命令または起動命令を生成する。より具体的には、プロファイル判定部６０２Ｂは、アプリケーションＡのプロファイル情報を移動させた場合、アプリケーションＡのアクティブ命令を生成し、アプリケーションＡのプロファイル情報を生成した場合、アプリケーションＡの起動命令を生成する。
【０１２２】
プロファイル判定部６０２Ｂは、その起動命令またはアクティブ命令をプロファイル管理データ処理部６０３Ｂに送出する（ステップＰ’０６）。
【０１２３】
プロファイル管理データ処理部６０３Ｂは、アプリケーションＡの起動命令またはアクティブ命令を受け取ると、そのアプリケーションＡの起動命令またはアクティブ命令をアプリケーション制御部２０２Ｂに送出する（ステップＰ’０７）。
【０１２４】
次にセンサ感知部２０１Ａのより詳細な説明を行う。
【０１２５】
図１０は、センサ感知部２０１Ａの構成の一例を示したブロック図である。図１０において、センサ感知部２０１Ａは、センサ感知データ処理部７０１Ａと、フリックテーブル記憶部７０２Ａと、フリック信号判定部７０３Ａとを有する。
【０１２６】
センサ感知データ処理部７０１Ａは、携帯端末のユーザからタッチパネル１０１Ａへの接触位置を感知する。接触位置は、タッチパネル１０１Ａ上に予め設定された座標系の座標値で表わされる。
【０１２７】
フリックテーブル記憶部７０２Ａは、ユーザからのタッチパネル１０１Ａへの操作が所定の操作であると判断するためのフリック条件を示すフリックテーブルを記憶する。
【０１２８】
本実施形態では、所定の操作はＹ方向の正の向きへのフリック操作なので、所定の操作が行われると、センサ感知データ処理部７０１Ａにて感知される接触位置のＹ成分は連続的に増加する。したがって、フリック条件は、接触位置のＹ成分が連続的に増加することとすればよい。
【０１２９】
しかしながら、例えば、ユーザがＹ方向と垂直な方向へのフリック操作を試みた場合でも、実際には接触位置のＹ成分が少しだけ増加することがある。この場合、所定の操作が行われたと判断されると、ユーザの意図と反して所定の操作が行われた判断されることがある。したがって、フリック条件は、接触位置のＹ成分が正の向きに、予め定められた閾値以上増加することにすることが望ましい。また、フリック条件は、接触位置のＹ成分が正の向きに、所定時間以内に閾値以上増加したことを示す信号としてもよい。この場合、所定の操作は、Ｙ方向の正の向きにある速度以上の速さでタッチパネル１０１Ａをなぞる操作となる。
【０１３０】
フリック信号判定部７０３Ａは、センサ感知データ処理部７０１Ａにて感知された接触位置と、フリックテーブル記憶部７０２Ａに記憶されたフリックテーブルに基づいて、所定の操作が行われたか否かを判断する。より具体的には、フリック信号判定部７０３Ａは、センサ感知データ処理部７０１Ａにて感知された接触位置の変化を感知し、その接触位置の変化がフリックテーブルにて示されるフリック条件に当てはまるか否かを判断する。そして、フリック信号判定部７０３Ａは、その接触位置の変化がフリック条件に当てはまると、所定の操作が行われたと判断する。これにより、所定の操作が感知される。
【０１３１】
次にセンサ感知部２０１Ａがタッチパネルの操作を感知した際の動作を説明する。図１１は、この動作を説明するためのフローチャートである。
【０１３２】
センサ感知データ処理部７０１Ａは、タッチパネル１０１Ａから、そのタッチパネル１０１Ａへの接触位置を示す座標信号を受け取り、その座標信号をフリック信号判定部７０３Ａに送出する（ステップＳ０１）。フリック信号判定部７０３Ａは、座標信号を受け取ると、フリックテーブル記憶部７０２Ａに記憶されているフリックテーブルを参照する（ステップＳ０２）。
【０１３３】
フリック信号判定部７０３Ａは、座標信号が示す接触位置の変化が、フリックテーブルが示すフリック条件を満たすか否かを判断して、タッチパネル１０１Ａに所定の操作が行われたか否かを判断する（ステップＳ０３）。
【０１３４】
接触位置の変化がフリック条件を満たさない場合、フリック信号判定部７０３Ａは、所定の操作が行われなかったと判断して、何もせずに処理を終了する（ステップＳ０４）。
【０１３５】
一方、接触位置の変化がフリック条件を満たす場合、フリック信号判定部７０３Ａは、所定の操作が行われたと判断して、アプリケーションプロファイルを参照する旨の参照命令をセンサ感知データ処理部７０１Ａに送出する（ステップＳ０５）。
【０１３６】
センサ感知データ処理部７０１Ａは、参照命令を受け取ると、その参照命令を端末データ処理部２０６Ａに送出する（ステップＳ０６）。端末データ処理部２０６Ａは、参照命令を受け取ると、その参照命令をアプリケーション制御部２０２Ａに送出する（ステップＳ０７）。アプリケーション制御部２０２Ａは、参照命令を受け取ると、その参照命令をプロファイル管理部２０３Ａに送出する（ステップＳ０８）。
【０１３７】
プロファイル管理部２０３Ａは、参照命令を受け取ると、自己に記憶されているプロファイルテーブルから、アクティブ状態のアプリケーションＡのアプリケーションプロファイルを検索し、その検索したアプリケーションプロファイルをアプリケーション制御部２０２Ａに送出する（ステップＳ０９）。
【０１３８】
アプリケーション制御部２０２Ａは、アプリケーションプロファイルを受け取ると、そのアプリケーションプロファイルを端末データ処理部２０６Ａに送出する（ステップＳ１０）。端末データ処理部２０６Ａは、アプリケーションプロファイルを受け取ると、そのアプリケーションプロファイルをセンサ感知部２０１Ａのセンサ感知データ処理部７０１Ａに送出する（ステップＳ１１）。
【０１３９】
センサ感知データ処理部７０１Ａは、アプリケーションプロファイルを受け取ると、そのアプリケーションプロファイルが示すアプリケーションＡの停止命令を生成し、その停止命令を端末データ処理部２０６Ａに送出する（ステップＳ１２）。
【０１４０】
以上説明した第２の実施形態では、主にタッチパネル１０１Ａに所定の操作が行われる場合について説明したが、実際には、タッチパネル１０１Ｂに所定の操作が行われてもよい。この場合、処理部２００Ａおよび２００Ｂの役割は逆転する。
【０１４１】
本実施形態によれば、感知部２は、タッチパネル１０１Ａおよび１０１Ｂのそれぞれに対応し、その対応するタッチパネルへの所定の操作を感知するセンサ感知部２０１Ａおよび２０１Ｂを有する。また、第１ディスプレイは、所定の操作が感知されたセンサ感知部２０１Ａまたは２０１Ｂに対応するタッチパネル１０１Ａまたは１０１Ａを備えたディスプレイ１００Ａまたは１００Ｂである。
【０１４２】
この場合、ユーザは、複数のアプリケーションを平行して使用する場合、第１表示情報が表示されていたディスプレイに備わったタッチパネルに所定の操作を行えばよくなるので、直観的に、複数のアプリケーションを平行して使用するモードに移行することができる。
【０１４３】
また、本実施形態では、制御部４は、ディスプレイ１００Ａおよび１００Ｂのそれぞれに、そのディスプレイに対応するアプリケーション制御部２０２Ａが生成した表示情報のいずれかを表示する。また、感知部２で所定の操作が感知されると、制御部４は、第１ディスプレイには、その第１ディスプレイに対応するアプリケーション制御部にて実行されているアプリケーションが生成した表示情報のうち、第１表示情報とは異なる表示情報を第２表示情報として表示する。
【０１４４】
この場合、ディスプレイごとにアプリケーションを実行することが可能になる。
【０１４５】
また、本実施形態では、制御部４は、感知部２にて所定の操作が感知されると、第２ディスプレイに対応するアプリケーション制御部が第１表示情報を生成したアプリケーションを実行していない場合、そのアプリケーション制御部にそのアプリケーションを実行させる。
【０１４６】
この場合、第２ディスプレイに対応するアプリケーション制御部が第１表示情報を生成したアプリケーションを実行していなかった場合でも、複数のアプリケーションを平行して使用するための利便性を向上させることが可能になる。
【０１４７】
また、本実施形態では、制御部４は、感知部２にて所定の操作が感知されると、第１ディスプレイに対応するアプリケーション制御部に、第１表示情報を生成したアプリケーションを停止させる。
【０１４８】
この場合、同じアプリケーションが複数実行されることを抑制することが可能になる。
【０１４９】
以上説明した各実施形態において、図示した構成は単なる一例であって、本発明はその構成に限定されるものではない。
【０１５０】
例えば、１つの筐体に複数のディスプレイが備わっていてもよい。
【符号の説明】
【０１５１】
１‐１〜１‐Ｎ、１００Ａ、１００Ｂ      ディスプレイ
２      感知部
３      実行部
４      制御部
５、１０１Ａ、１０１Ｂ      タッチパネル
１０Ａ、１０Ｂ      筐体
２００Ａ、２００Ｂ      処理部
２０１Ａ、２０１Ｂ      センサ感知部
２０２Ａ、２０２Ｂ      アプリケーション制御部
２０３Ａ、２０３Ｂ      プロファイル管理部
２０４Ａ、２０４Ｂ      ＬＣＤ制御部
２０５Ａ、２０５Ｂ      タスク処理部
２０６Ａ、２０６Ｂ      端末データ処理部
６０１Ａ、６０１Ｂ      プロファイルテーブル記憶部
６０２Ａ、６０２Ｂ      プロファイル判定部
６０３Ａ、６０３Ｂ      プロファイル管理データ処理部
７０１Ａ      センサ感知データ処理部
７０２Ａ      フリックテーブル記憶部
７０３Ａ      フリック信号判定部
【図１】
0005407804.tif 000002
【図２Ａ】
0005407804.tif 000003
【図２Ｂ】
0005407804.tif 000004
【図３】
0005407804.tif 000005
【図４】
0005407804.tif 000006
【図５】
0005407804.tif 000007
【図６】
0005407804.tif 000008
【図７】
0005407804.tif 000009
【図８】
0005407804.tif 000010
【図９】
0005407804.tif 000011
【図１０】
0005407804.tif 000012
【図１１】
0005407804.tif 000013